(57)【要約】【課題】  携帯端末装置において、電池残量と利用者のニーズに応じて、利用者が望むアプリケーションの使用を行える携帯端末装置を提供することことを目的とする。【解決手段】  複数のアプリケションが実行できる携帯端末装置において、電源となるバッテリ４０と、バッテリの残量を検出する残量検出部４１と、アプリケーションが実行できる優先順位を格納したメモリ１３と、アプリケーションの使用頻度を算出する算出し、使用頻度に対応してアプリケーションが実行できる優先順位を変更するとともに、残量検出部により残量が所定量以下になったか否か判断し、その判定に基づきメモリに格納された優先順位に従い実行できるアプリケーションを設定するように制御する制御部１０と、を備え、電池残量が所定量以下になると、優先順位の下位のアプリケーションの実行を禁止し、実行できるアプリケーション数を減少させる。【選択図】    図１
2009089104.tif 000002
【特許請求の範囲】
【請求項１】
複数のアプリケションが実行できる携帯端末装置において、電源となるバッテリと、前記バッテリの残量を検出する残量検出手段と、アプリケーションが実行できる優先順位を格納した記憶手段と、アプリケーションの使用頻度を算出する算出手段と、前記使用頻度に対応してアプリケーションが実行できる優先順位を変更する優先順位変更手段と、前記残量検出手段により残量が所定量以下になったか否か判断する判定手段と、前記判定手段に基づき前記記憶手段に格納された優先順位に従い実行できるアプリケーションを設定する手段と、を備え、電池残量が所定量以下になると、優先順位の下位のアプリケーションの実行を禁止し、実行できるアプリケーション数を減少させることを特徴とする携帯端末装置。
【請求項２】
表示手段を備え、アプリケーションの実行を禁止したアプリケーション名を表示させることを特徴とする請求項１に記載の携帯端末装置。
【請求項３】
前記複数のアプリケーションは、通話機能、電子メール機能、ＧＰＳ機能、インターネットに接続できる機能、デジタルカメラを内蔵して静止画を撮影できる機能、動画撮影ができる機能、アプリケーションをダウンロードして実行する機能であることを特徴とする請求項１または２に記載の携帯端末装置。
【請求項４】
電池残量が所定量以下になると、通話機能、電子メール機能の実行を可能とし、他のアプリケーションの実行が禁止されることを特徴する請求項３に記載の携帯端末装置。
【発明の詳細な説明】
【技術分野】
【０００１】
この発明は、携帯電話機などの携帯端末装置に関し、使用時間の拡大を図る携帯端末装置に関するものである。
【背景技術】
【０００２】
携帯電話機は多機能化しており、通話以外に、種々のアプリケーションが実行できるように構成されている。例えば、電子メール機能、インターネットに接続できる機能（以下、単に、ウェブ機能という。）、デジタルカメラを内蔵して静止画を撮影できる機能（以下、単に、カメラ機能という。）、動画撮影ができる機能（以下、単に、動画機能という。）、さらには、アプリケーションをダウンロードして実行する機能（以下、単に、ダウンロードアプリ機能という。）等を有するものがある。
【０００３】
ところで、携帯電話機などの携帯端末装置においては、充電バッテリを用いて駆動されており、バッテリの消耗を少なくして使用時間の拡大を図る試みがなされている。
【０００４】
例えば、特許文献１には、電池残量を検出して出力する電池残量検出手段と、電池残量検出手段から出力した電池残量に応じて装置に付加した機能の中で動作を制限しても通話が終了しない機能である付加機能の動作を制限する制御を行う付加機能制御手段とを備えた通信端末装置が開示されている。
【特許文献１】特開２０００−２５３１４２号公報
【発明の開示】
【発明が解決しようとする課題】
【０００５】
上記したように、携帯電話機においては、通話機能以外に種々のアプリケーションを実行できるものがある。利用者にとっては、電池残量が多いときにはなるべく種々のアプリケーションの機能を利用し、電池残量が少なくなると、通話時間を長くすることを望む場合がある。この場合、上記の特許文献１のように、通話以外のアプリケーションをすべて利用できなくして通話時間を長くすることも１つの方法である。
【０００６】
しかしながら、すべての利用者が一律的に通話を長くすることを望むとは限らない、通話より電子メールの機能を優先する利用者もある。このような利用者にとっては、上記特許文献１の方法では、利便性が悪くなるという難点がある。
【０００７】
そこで、この発明は、携帯端末装置において、電池残量と利用者のニーズに応じて、利用者が望むアプリケーションの使用を行える携帯端末装置を提供することことを目的とする。
【課題を解決するための手段】
【０００８】
この発明の携帯端末装置は、複数のアプリケションが実行できる携帯端末装置において、電源となるバッテリと、前記バッテリの残量を検出する残量検出手段と、アプリケーションが実行できる優先順位を格納した記憶手段と、アプリケーションの使用頻度を算出する算出手段と、前記使用頻度に対応してアプリケーションが実行できる優先順位を変更する優先順位変更手段と、前記残量検出手段により残量が所定量以下になったか否か判断する判定手段と、前記判定手段に基づき前記記憶手段に格納された優先順位に従い実行できるアプリケーションを設定する手段と、を備え、電池残量が所定量以下になると、優先順位の下位のアプリケーションの実行を禁止し、実行できるアプリケーション数を減少させることを特徴とする。
【０００９】
また、この発明は、表示手段を備え、アプリケーションの実行を禁止したアプリケーション名を表示させることを特徴とする。
【００１０】
前記複数のアプリケーションは、通話機能、電子メール機能、ＧＰＳ機能、インターネットに接続できる機能、デジタルカメラを内蔵して静止画を撮影できる機能、動画撮影ができる機能、アプリケーションをダウンロードして実行する機能であることを特徴とする。
【００１１】
また、この発明は、電池残量が所定量以下になると、通話機能、電子メール機能の実行を可能とし、他のアプリケーションの実行が禁止されることを特徴する。
【発明の効果】
【００１２】
この発明によれば、利用者のニーズとバッテリ残量に応じて、使用できるアプリケーションが設定されるため、利用者の利便性とバッテリーの残量に応じた携帯端末装置の使用時間を長くすることができる。
【発明を実施するための最良の形態】
【００１３】
この発明の実施の形態について図面を参照しながら詳細に説明する。なお、図中同一または相当部分には同一符号を付し、説明の重複を避けるためにその説明は繰返さない。図１は、この発明の第１の実施の形態による携帯端末装置としての携帯電話機の構成を示すブロック図である。
【００１４】
図１に示す携帯電話機１は、マイクロコンピュータで構成される制御部１０と、デジタルカメラ１２、デジタルカメラ１２からの画像データや各種データ等を格納するフラッシュメモリなどからなるメモリ１３、各種アプリケーションを実行するためのアプリケーション処理部１４、映像復号部１６、映像制御部１７、音声復号部１８、音声制御部１９、ディスプレイ２０、スピーカ２１を備える。
【００１５】
携帯電話機１は、電話機の機能として移動体通信用のアンテナ５１、移動体通信無線部５２、移動体通信変復調部５３、マイク５４、音声符号部５５、テンキーなどの操作キー５６、キー入力部５７を備える。
【００１６】
アプリケーション処理部１４は、各種アプリケーション動作を行うためのプログラムが格納されたＲＯＭを有する。そして、操作キー５６により、利用者が各種アプリケーションを実行するための動作を行うと、アプリケーション処理部１４は、利用者が指定したアプリケーション動作を行うための指示を制御部１０に与える。制御部１０は、アプリケーション処理部１４の指示に従い各ブロックの動作を制御する。尚、この実施形態においては、制御部１０とアプリケーション処理部１４を別ブロックで構成しているが、制御部１０に電源制御部の機能を持たせ、電源制御部４２を別ブロックとして用いない構成にしても良い。
【００１７】
この実施形態における携帯電話機１は、通常の携帯電話の通話機能、電子メール機能、ウェブ機能、カメラ機能、動画機能、ダウンロードアプリ機能を有している。
【００１８】
この実施形態の携帯電話機１は、利用者の現在位置を取得するためのＧＰＳ用アンテナ３０、位置情報受信部３１を備える。
【００１９】
そして、携帯電話機１は、充電式バッテリ４０、この充電式バッテリ４０の残量を検出する残量検知部４１、各ブロックへの電力供給を制御する電源制御部４２を備える。
【００２０】
なお、図１に示す携帯電話機１は、通常の電話機能を実現する各回路を内蔵しているが、この発明と直接的に関係しない部分は、説明を容易にするために詳細な説明を省略する。
【００２１】
また、上記の各ブロックは、専用回路から構成してもよいし、各処理を実行するためのプログラムを、携帯電話機１に内蔵されるマイクロプロセッサ等を用いて実行することにより実現してもよい。
【００２２】
内部電源としての充電式バッテリ４０は、リチウムイオン電池等から構成され、電源制御部４２、制御部１０へ電力を供給するとともに、電源制御部４２の指示に応じて装置内の所定のブロックへ電力を供給する。
【００２３】
充電式バッテリ４０の残量は、残量検知部４１で検知される。残量検知部４１は、バッテリ４０の出力電圧と消費電流からバッテリ４０の残量を検知し、検知した残量を制御部１０に通知する。電源制御部４２は、制御部１０からの制御信号に従い、バッテリ４０からの各ブロックへ与える出力電力を制御する。なお、この実施形態では、制御部１０と電源制御部４２を別ブロックで構成しているが、制御部１０に電源制御部の機能を持たせ、電源制御部４２を別ブロックとして用いない構成にしても良い。
【００２４】
電源制御部４２は、装置本体が例えば、省電力状態にあるとき、少なくとも移動体通信無線部５２、移動体通信変調部５３へ電力を供給するようにバッテリ４０を制御し、着呼を監視する待ち受け状態になる。
【００２５】
映像復号部１６は、送られたきた符号化されたデータ信号を復号して画像信号を作成し、映像制御部１７に送り、映像制御部１７でディスプレイ２０への表示を制御し、電子メール、ウェブ等の映像を表示させる。また、音声復号部１８は、送られてきた符号化された音声信号を復号して、音声制御部１９に送り、音声制御部１７で音量等を制御し、スピーカ２１より音声を再生する。
【００２６】
上記した携帯電話機１において、この実施形態においては、電池残量に応じて、使用できるアプリケーションを選択するものである。即ち、電池残量が所定値より少なくなると、携帯電話機１の電話機としての本来の機能を中心にし、携帯電話機１の通話時間、待ち受け時間を長くするように制御部１０がアプリケーション処理部１４の動作を制限する。
【００２７】
この携帯電話機１においては、動作可能なアプリケーションに優先順位を付けておき、バッテリ４０の残量が少なくなると優先順位の低いアプリケーションから動作を禁止する。
【００２８】
優先順位は、予めメモリ１３内に登録されている。そして、この優先順位は利用者により、変更可能であるとともに、利用者のアプリケーションの使用頻度を考慮して優先順位を書き換える。
【００２９】
利用者が優先順位を変更する場合には、キー５６を用いて、アプリケーションの優先順位を切り替える。また、使用頻度に応じて優先順位を変更するため、制御部１０は、アプリケーションを実行するたびに、実行した回数をメモリ１３に記憶させ、所定回数の実行、例えば、アプリケーションを実行した回数が１００回を超えると、それぞれのアプリケーションを実行した回数をメモリ１３から制御部１０が読み出し、回数が多いアプリケーションを優先順位の上位に登録するように、優先順位を書き換えればよい。
【００３０】
なお、回数に関係なく、電話機能を１番目の優先順位とし、２番目はメール機能として、これ以外のアプリケーションの順位を使用頻度により変更するように構成しても良い。これは、電話機本来の機能は、バッテリ残量が少なくなっても実施できるようにするためである。
【００３１】
図３に、バッテリー４０としてリチウムイオン電池を用いた場合の放電特性を示す。この実施形態においては、放電容量が４０％程度になった電圧Ｖ１のときにアプリケーションのいくつかを制限し、さらに放電容量が８０％になった電圧Ｖ２のときには、電話機能と、メール機能以外のアプリケーションの実行を禁止するように構成している。
【００３２】
電池残量の変化により、１個ずつのアプリケーションを実行制限するように構成することもできる。
【００３３】
この実施の形態においては、デフォルトとしてのアプリケーションの優先順位は上位から電子メール機能、通話機能、ＧＰＳ機能、ウェブ機能、カメラ機能、動画機能、ダウンロードアプリ機能としている。
【００３４】
次に、上記のように構成された携帯電話機１のバッテリ残量に応じたアプリケーションの制御処理について詳細に説明する。図２は、図１に示す携帯電話機１によるアプリケーションの制御処理を説明するためのフローチャートである。
【００３５】
図２に示すように、利用者により携帯電話機１の主電源がオンされて待ち受け状態にされると、まず、ステップＳ１において、制御部１０に電力が供給され、制御部１０は、メモリ１３に格納されているアプリケーションの実行する優先順位を取得する。最初は、デフォルトの優先順位は上位から電子メール機能、通話機能、ＧＰＳ機能、ウェブ機能、カメラ機能、動画機能、ダウンロードアプリ機能の優先順位を制御部１０が取得する。
【００３６】
続いて、ステップＳ２において、バッテリ４０の残量を残量検知部４１で検知し、検知した残量を制御部１０に通知する。この発明は、バッテリ残量に応じて実行できるアプリケションを選択し、バッテリ４０の消耗を少なくし、消費電力の低減と利用者に最適な携帯電話機１の使用が行えるように、制御回路１０が制御を行うため、バッテリ４０の残量を検出し、制御回路１０に通知している。
【００３７】
次に、ステップＳ３に進み、制御部１０は、バッテリ４０の残量が所定値以上か否か判断する。この実施形態においては、放電容量が４０％である電圧Ｖ１に達したか否か判断する。バッテリ４０の放電容量が４０％に達して場合には、バッテリ４０に十分余裕があるとして、ステップＳ４に進み、すべてのアプリケーションが実行できる状態に設定される。そして、ステップＳ１０に進む。
【００３８】
一方、ステップＳ３において、放電容量が４０％である電圧Ｖ１を下回ると、ステップＳ５に進む。ステップＳ５においては、制御部１０は、バッテリ４０の残量が第２の残量以上か否か判断する。この実施形態においては、放電容量が８０％である電圧Ｖ２に達したか否か判断する。放電容量が８０％である電圧Ｖ２に達していない、即ち、放電容量が４０％と８０％の間においては、バッテリ４０の残量は少なくなっているが、まだ、電話機本来の機能以外のアプリケーションも実行できると判断し、優先順位が低いアプリケーションの実行をできなくして、優先順位の高いグループのアプリケーションの実行ができる状態に設定する。この実施形態では、カメラ機能、動画機能、ダウンロードアプリ機能という優先順位が下位グループのアプリケーションの実行を制限し、優先順位の高いグループの電子メール機能、通話機能、ＧＰＳ機能、ウェブ機能のアプリケーション実行が可能な状態に設定する。そして、ステップＳ７において、使用できないアプリケーションをディスプレイ２０に表示させる。ディスプレイ２０には、カメラ機能、動画機能、ダウンロードアプリ機能が使用できない旨表示させる。そして、ステップＳ１０に進む。
【００３９】
一方、ステップＳ５の放電容量が８０％に達したと制御部が判断すると、ステップＳ８に進み、バッテリ残量が僅かになったので、電話機本来の機能のアプリケーションだけを実行するように、優先順位がさらに高いグループのアプリケーションの実行ができる状態に設定する。この実施形態では、ＧＰＳ機能、ウェブ機能、カメラ機能、動画機能、ダウンロードアプリ機能という優先順位が下位グループのアプリケーションの実行を制限し、優先順位のさらに高いグループの電子メール機能、通話機能のアプリケーションの実行が可能な状態に設定する。そして、ステップＳ９において、使用できないアプリケーションをディスプレイ２０に表示させる。ディスプレイ２０には、ＧＰＳ機能、ウェブ機能、カメラ機能、動画機能、ダウンロードアプリ機能が使用できない旨表示させる。そして、ステップＳ１０に進む。
【００４０】
ステップＳ１０においては、発呼、着呼やアプリケーションの実行の指示があり、携帯電話機１のアプリケーション処理部１４を駆動させてアプリケーションの使用が行われるか否か制御部１０により判断される。この判断は、キー５６により指示により指示されたアプリケーションを実行するのではなく、指示されたアプリケーションが実行可能か否か判断し、実行可能なアプリケーションとして設定されているアプリケーションか否か判断し、設定されているアプリケーションに含まれる場合には、ステップＳ１１に進み、使用するアプリケーションをメモリ１３に登録し、その回数を加算し、ステップＳ１２に進み使用するアプリケーションを実行し、ステップＳ１３に進み、処理が終了するまで、アプリケーションの処理が続行される。
【００４１】
一方、使用する指示がないあるいは指示があっても実行可能なアプリケーションと設定されていないアプリケーションの場合には、ステップＳ２に戻り、前述の動作を繰り返す。
【００４２】
使用するアプリケーションの処理が終了すると、ステップＳ１４に進み、アプリケーションの実行回数が所定回数終わったか否か判断し、終わった場合には、優先順位を変更するために、ステップＳ１５に進む。
【００４３】
一方を優先順位を変更しない場合には、ステップＳ１６に進み、電源オフキーが押された否か判断され、電源オフキーが押されると、電源をオフして動作を終了する。電源オフキーが押されていない場合には、ステップＳ１に戻り、前述の動作を繰り返す。
【００４４】
優先順位を変更する場合には、ステップＳ１５において、それぞれのアプリケーションを実行した回数をメモリ１３から制御部１０が読み出し、回数が多いアプリケーションを優先順位の上位に登録して、優先順位を書き換える。この書き換えられた優先順位に従い以降のアプリケーションの実行可能状態が選択されることになる。実行すると、ステップＳ１２に進み、使用したアプリケーションをメモリ１３に登録し、その回数を加算する。そして、
このようにして、利用者のアプリケーションの使用頻度を考慮して優先順位を書き換え、電池残量に応じて、電池の消耗を減らし、利用者が好むアプリケーションの実行を確保することができる。
【００４５】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【図面の簡単な説明】
【００４６】
【図１】この発明の第１の実施の形態による携帯端末装置としての携帯電話の構成を示すブロック図である。
【図２】図１に示す携帯電話機によるアプリケーションの制御処理を説明するためのフローチャートである。
【図３】バッテリーとしてリチウムイオン電池を用いた場合の放電特性を示す図である。
【符号の説明】
【００４７】
１  携帯電話、１０  制御部、１２  カメラ、１３  メモリ１４  アプリケーション処理部、１６  映像復号部、１７  映像制御部、１８  音声復号部、１９  音声制御部、２０  ディスプレイ、２１  スピーカ２、３０  ＧＰＳ用アンテナ、３１  位置情報受信部、３２  位置情報記憶部、４０  充電式バッテリ、４１  残量検知部、４２  電源制御部。
【図１】
2009089104.tif 000003
【図２】
2009089104.tif 000004
【図３】
2009089104.tif 000005